【手続補正書】
【提出日】平成19年4月11日(2007.4.11)
【手続補正１】
【補正対象書類名】明細書
【補正対象項目名】発明の名称
【補正方法】変更
【補正の内容】
【発明の名称】光起電力素子モジュールおよび太陽電池モジュール、並びに建材
【手続補正２】
【補正対象書類名】明細書
【補正対象項目名】特許請求の範囲
【補正方法】変更
【補正の内容】
【特許請求の範囲】
【請求項１】一つ以上の光起電力素子を備え、該光起電力素子ごとに少なくとも１個のバイパスダイオードが逆並列に電気的に接続された光起電力素子モジュールにおいて、
前記バイパスダイオードは、少なくともチップダイオードが２枚の金属箔材間に挟持された構造を有し、
前記２枚の金属箔材の一方は前記光起電力素子の片面側に接続されており、前記２枚の金属箔材の他方は折り曲げられた状態で前記光起電力素子の反対面側に接続されていることを特徴とする光起電力素子モジュール。
【請求項２】前記金属箔は、硬さがビッカース硬度１２０以下であることを特徴とする請求項１に記載の光起電力素子モジュール。
【請求項３】前記チップダイオードは、前記２枚の金属箔材にまたがって配置された固定材によって固着されていることを特徴とする請求項１または請求項２に記載の光起電力素子モジュール。
【請求項４】前記固定材は、硬化前粘度が５００ポイズ以上２０００ポイズ以下の樹脂材料で形成されていることを特徴とする請求項３に記載の光起電力素子モジュール。
【請求項５】前記光起電力素子は、単結晶ウエハー上に成長したエピタキシャル膜をウエハーから剥離して得られた薄膜単結晶シリコンシートを用いて形成されていることを特徴とする請求項１〜請求項４のいずれか１項に記載の光起電力素子モジュール。
【請求項６】前記光起電力素子は、微結晶ｐｉｎシリコン／アモルファスｐｉｎシリコンのタンデムを用いて形成されていることを特徴とする請求項１〜請求項４のいずれか１項に記載の光起電力素子モジュール。
【請求項７】光起電力素子モジュールを樹脂封止してなる太陽電池モジュールにおいて、前記光起電力素子モジュールが請求項１〜請求項６のいずれか１項に記載の光起電力素子モジュールであることを特徴とする太陽電池モジュール。
【請求項８】前記樹脂封止が、補強板上に樹脂で封止された構造を有することを特徴とする請求項７に記載の太陽電池モジュール。
【請求項９】補強板上に光起電力素子モジュールが樹脂で封止された構造を有する建材において、前記光起電力素子モジュールが請求項１〜６のいずれか１項に記載の光起電力素子モジュールであることを特徴とする建材。
【手続補正３】
【補正対象書類名】明細書
【補正対象項目名】０００１
【補正方法】変更
【補正の内容】
【０００１】
【発明の属する技術分野】
本発明は、バイパスダイオードが接続された光起電力素子モジュールおよび該光起電力素子モジュールによって構成された太陽電池モジュール、並びに建材に関する。
【手続補正４】
【補正対象書類名】明細書
【補正対象項目名】０００８
【補正方法】変更
【補正の内容】
【０００８】
そこで、本発明は、上記課題を解決し、繰り返し曲げへの耐性の向上を図る等、外力に対して十分な信頼性を有する構造の光起電力素子モジュールおよび太陽電池モジュール、並びに建材を提供するものである。
【手続補正５】
【補正対象書類名】明細書
【補正対象項目名】０００９
【補正方法】変更
【補正の内容】
【０００９】
【課題を解決するための手段】
本発明は、上記課題を達成するため、光起電力素子モジュールおよび太陽電池モジュール、並びに太陽電池モジュールと一体構造の建材を、つぎのように構成したことを特徴とするものである。
すなわち、本発明の光起電力素子モジュールは、一つ以上の光起電力素子を備え、該光起電力素子ごとに少なくとも１個のバイパスダイオードが逆並列に電気的に接続された光起電力素子モジュールにおいて、
前記バイパスダイオードは、少なくともチップダイオードが２枚の金属箔材間に挟持された構造を有し、
前記２枚の金属箔材の一方は前記光起電力素子の片面側に接続されており、前記２枚の金属箔材の他方は折り曲げられた状態で前記光起電力素子の反対面側に接続されていることを特徴としている。
また、本発明の光起電力素子モジュールは、前記金属箔が、硬さがビッカース硬度１２０以下であることを特徴としている。
また、本発明の光起電力素子モジュールは、前記チップダイオードは、前記２枚の金属箔材にまたがって配置された固定材によって固着されていることを特徴としている。
また、本発明の光起電力素子モジュールは、前記固定材は、硬化前粘度が５００ポイズ以上２０００ポイズ以下の樹脂材料で形成されていることを特徴としている。
また、本発明の光起電力素子モジュールは、前記光起電力素子は、単結晶ウエハー上に成長したエピタキシャル膜をウエハーから剥離して得られた薄膜単結晶シリコンシートを用いて形成されていることを特徴としている。
また、本発明の光起電力素子モジュールは、前記光起電力素子は、微結晶ｐｉｎシリコン／アモルファスｐｉｎシリコンのタンデムを用いて形成されていることを特徴としている。
また、本発明の光起電力素子モジュールは、光起電力素子モジュールを樹脂封止してなる太陽電池モジュールにおいて、前記光起電力素子モジュールが上記した本発明のいずれかの光起電力素子モジュールであることを特徴としている。
また、本発明の光起電力素子モジュールは、前記樹脂封止が、補強板上に樹脂で封止された構造を有することを特徴としている。
また、本発明の建材は、補強板上に光起電力素子モジュールが樹脂で封止された構造を有する建材において、前記光起電力素子モジュールが上記したいずれかに記載の光起電力素子モジュールであることを特徴としている。
【手続補正６】
【補正対象書類名】明細書
【補正対象項目名】００１５
【補正方法】変更
【補正の内容】
【００１５】
次に固定材１０４について詳述する。
図２（ｄ）に固定材を設けた場合のチップダイオードの一例の概略図を示す。固定材を配置する目的は、曲げの外力に対する半導体チップの耐性を高めることである。よって、その目的を満足する為には、固定材１０４は金属箔材１０２と１０３の両方にまたがって配置されている必要がある。固定材を配置する位置としては、金属箔材１０２と１０３にまたがって配置されていさえすれば特に限定はなく、図にはないが裏側に設けても何等問題はない。また、固定材１０４の厚みに関しても特に限定はないが、薄型の光起電力素子モジュールの場合には、その平面性を維持する為に薄い形状のものが望ましい。固定材の材料としては、金属箔材同士を固着する目的から、各種樹脂、接着材、テープ類等を用いることができ、固着できるものであればこの限りではないが、金属箔材との接着力に優れているものが望ましい。具体的には、金属箔材の材料にもよるが、エポキシ樹脂、フェノール樹脂、アクリル樹脂、シリコーン樹脂等を好適に用いることが可能である。固定材として樹脂を用いる場合には、量産性を考えた場合に、デイスペンサー等でドッテイング可能な粘度を有するものが望ましいが、粘度が低すぎる場合には広がり方が大きく、特定の場所にドッテイングできないといった不具合を生ずる。また、あまりに高い場合には膜厚が厚くなってしまう。このような兼ね合いから樹脂材料の硬化前粘度は５００ポイズ以上２０００ポイズ以下であることが望ましい。
【手続補正７】
【補正対象書類名】明細書
【補正対象項目名】００４１
【補正方法】変更
【補正の内容】
【００４１】
【発明の効果】
以上に説明したように、本発明によると、繰り返し曲げへの耐性の向上等、外力に対して十分な信頼性を有する構造の光起電力素子モジュールおよび太陽電池モジュール、並びに建材を、実現することができる。
また、本発明によると、バイパスダイオードの少なくとも一方の金属箔が概ね１８０度折り曲げられた構成を採ることによって、曲げ応力に対して強いモジュールを提供することが可能となる。
また、本発明によると、上記した金属箔として、その硬さがビッカース硬度１２０以下のものを用いることによって、よりその応力を緩和することが可能となる。
また、本発明によると、チップダイオードを、前記２枚の金属箔材にまたがって配置された固定材によって固着する構成を採ることによって、チップ近傍での金属箔の変形を抑制することができ、応力に対してより強固な光起電力素子モジュールを提供することが可能となる。
また、本発明によると、補強板上に前記光起電力素子モジュールを樹脂封止構造の太陽電池モジュールを構成することにより、前記補強板によって撓み量を小さくすることができ、ダイオードにかかる応力をより低減することが可能となる。また、本発明によると、補強板上に光起電力素子モジュールが樹脂で封止された構造を有する建材を構成することにより、繰り返し曲げに強い構造とすることができ、風速の厳しい屋外への設置が可能となる。